(57)【特許請求の範囲】
【請求項１】
バーナ上に調理器具が載置されたことを検知する鍋底センサを有し、この鍋底センサが調理器具が載置されていることを検知しない状態でバーナに対する点火操作がされた場合に、バーナへの点火を禁止する点火禁止手段を備えたガスコンロ装置において、バーナへの点火を制御する制御部を備え、上記点火操作の途中で制御部への通電が開始されるように構成されており、押し操作している間だけオン状態になる強制点火スイッチを設け、この強制点火スイッチのオン状態から強制点火スイッチにオン故障が発生したと判断した場合に、オン故障発生を記憶する不揮発性メモリを設け、上記強制点火スイッチを押し操作している状態で上記点火操作がされ、制御部に通電が開始された時点で上記強制点火スイッチがオン状態の場合であって、かつ、不揮発性メモリ内にオン故障発生が格納されていない場合に、上記点火禁止手段による点火禁止を解除して上記バーナの点火を許可することを特徴とするガスコンロ装置。
【請求項２】
上記強制点火スイッチのオン状態の継続時間を計時し、その計時時間がオン故障判定時間を超えた場合と、消火時点で強制点火スイッチがオンの状態の場合との一方の場合に、強制点火スイッチにオン故障が発生したと判断することを特徴とする請求項１に記載のガスコンロ装置。
【請求項３】
上記鍋底センサが調理器具が載置されていることを検知していれば、上記不揮発性メモリにオン故障発生が記憶されていてもバーナへの点火を許可することを特徴とする請求項１または請求項２に記載のガスコンロ装置。
【請求項４】
ガスコンロ装置に対する手動操作によって、上記不揮発性メモリに格納されているオン故障発生を消去できるようにしたことを特徴とする請求項１から請求項３のいずれかに記載のガスコンロ装置。
【請求項５】
上記強制点火スイッチがオン状態からオフ状態になれば、上記不揮発性メモリに格納されているオン故障発生を消去するようにしたことを特徴とする請求項１から請求項４のいずれかに記載のガスコンロ装置。
【発明の詳細な説明】
【技術分野】
【０００１】
本発明は、バーナ上に調理器具が載置されたことを検知する鍋底センサを有し、この鍋底センサが調理器具が載置されていることを検知しない状態でバーナに対する点火操作がされた場合に、バーナへの点火を禁止する点火禁止手段を備えたガスコンロ装置に関する。
【背景技術】
【０００２】
ガスコンロ装置では、装置の上面である天板にバーナが露出して設けられているので、バーナ上に調理器具を載置しない状態で点火すると、炎全体が露出して安全上好ましくない。そのため、バーナ上に調理器具が載置されていることを検知する鍋底センサを備え、調理器具が載置されていない状態で点火操作がされてもバーナに点火しない点火禁止手段が設けられている。
【０００３】
ただし、例えば海苔をあぶる場合など、調理器具をバーナ上に載置しない状態でバーナを一時的に点火したい場合が生じる。このような場合のために、強制点火スイッチを設け、通常の点火操作を先行して行い、点火禁止手段によってバーナの点火が禁止されている状態で強制点火スイッチを押し操作すると、点火禁止手段による点火禁止を解除してバーナへの点火を行うようにしたものが知られている（例えば、特許文献１参照）。
【０００４】
ところが、このガスコンロ装置では、バーナ上に調理器具を載置しない状態でバーナに点火する場合、通常の点火操作を行ってもバーナは点火されず、その後に強制点火スイッチを押すことによってバーナに点火される。このため、点消火ボタンを押し込むという慣れ親しんでいる点火操作ではバーナは点火せず、通常の点火操作とは全く相違する強制点火スイッチに対する押し操作によってバーナが点火するので、非常に違和感を覚えることになる。特に、調理器具がバーナに載置されていないので、点火によって生じる炎が突然発生するように感じるため、使用感が非常に悪いものとなる。
【０００５】
そこで、本出願人は、特願２０１４−２５０７７４号として、押し操作している間だけオン状態になる強制点火スイッチを設け、この強制点火スイッチを押し操作している状態で上記点火操作がされ、制御部に通電が開始された時点で上記強制点火スイッチがオン状態の場合に、上記点火禁止手段による点火禁止を解除して上記バーナの点火を許可するものを出願した。
【先行技術文献】
【特許文献】
【０００６】
【特許文献１】特開２０１３−２３４７６４号公報（［００１５］、図２、図３）
【発明の概要】
【発明が解決しようとする課題】
【０００７】
しかし、先の出願したものでは、点火時に強制点火スイッチが押されている場合にバーナの点火を許可するものであるが、この強制点火スイッチがオン故障、すなわち、故障により押し操作していなくても常にオン状態となる故障が生じている場合、実際には強制点火スイッチが押されていなくても押された場合と同様の動作になるという不具合が生じる。
【０００８】
そこで本発明は、上記の問題点に鑑み、点火時にオンにする強制点火スイッチがオン故障しても不具合が生じないガスコンロ装置を提供することを課題とする。
【課題を解決するための手段】
【０００９】
上記課題を解決するために本発明によるガスコンロ装置は、バーナ上に調理器具が載置されたことを検知する鍋底センサを有し、この鍋底センサが調理器具が載置されていることを検知しない状態でバーナに対する点火操作がされた場合に、バーナへの点火を禁止する点火禁止手段を備えたガスコンロ装置において、バーナへの点火を制御する制御部を備え、上記点火操作の途中で制御部への通電が開始されるように構成されており、押し操作している間だけオン状態になる強制点火スイッチを設け、この強制点火スイッチのオン状態から強制点火スイッチにオン故障が発生したと判断した場合に、オン故障発生を記憶する不揮発性メモリを設け、上記強制点火スイッチを押し操作している状態で上記点火操作がされ、制御部に通電が開始された時点で上記強制点火スイッチがオン状態の場合であって、かつ、不揮発性メモリ内にオン故障発生が格納されていない場合に、上記点火禁止手段による点火禁止を解除して上記バーナの点火を許可することを特徴とする。
【００１０】
強制点火スイッチ単独で点火を行うのでは無く、あくまで点火操作の補助として強制点火スイッチを押し操作し、強制点火スイッチが押し操作されている状態で通常の点火操作と同じ操作がされることによって制御部への通電が開始され、制御部は通電が開始された時点で上記強制点火スイッチがオン状態の場合に、バーナの点火を許可するようにした。ただし、強制点火スイッチがオン故障している場合には、実際に強制点火スイッチを押し操作していなくても制御部は強制点火スイッチが押されているものと判断する。そこで、この強制点火スイッチのオン状態から強制点火スイッチにオン故障が発生したと判断した場合に、オン故障発生を記憶する不揮発性メモリを設けて、制御部に通電が開始された時点で上記強制点火スイッチがオン状態の場合であって、かつ、不揮発性メモリ内にオン故障発生が格納されていない場合に、上記点火禁止手段による点火禁止を解除して上記バーナの点火を許可するようにした。
【００１１】
具体的には、上記強制点火スイッチのオン状態の継続時間を計時し、その計時時間がオン故障判定時間を超えた場合と、消火時点で強制点火スイッチがオンの状態の場合との一方の場合に、強制点火スイッチにオン故障が発生したと判断する。
【００１２】
なお、五徳上に調理器具が載置されていれば、例え強制点火スイッチがオン故障していても、ガスバーナの点火によって不具合は生じない。そこで、上記鍋底センサが調理器具が載置されていることを検知していれば、上記不揮発性メモリにオン故障発生が記憶されていてもバーナへの点火を許可することが望ましい。
【００１３】
なお、オン故障した強制点火スイッチを交換した場合などのため、ガスコンロ装置に対する手動操作によって、上記不揮発性メモリに格納されているオン故障発生を消去できるようにしておくことが望ましい。
【００１４】
また、上記強制点火スイッチがオン状態からオフ状態になれば、上記不揮発性メモリに格納されているオン故障発生を消去することも考えられる。
【発明の効果】
【００１５】
以上の説明から明らかなように、本発明は、強制点火スイッチが押し操作されている状態で通常の点火操作をすることによって、バーナの点火を許可するので、バーナ上に調理器具が載置されていない場合に、違和感なくバーナに点火が行える。そして、強制点火スイッチがオン故障している場合にはバーナに点火しないことによって、使用者の予期しない動作を防止できる。
【図面の簡単な説明】
【００１６】
【図１】本発明によるガスコンロ装置の外観を示す図
【図２】バーナまでのガス管路を示すブロック図
【図３】制御部周りの構成を示すブロック図
【図４】制御部による制御ブローを示す図
【発明を実施するための形態】
【００１７】
図１を参照して、１は本発明によるガスコンロ装置である。このガスコンロ装置１の天板１１には左右２機のバーナ１２が設けられている。両バーナ１２は環状で有り、中心の空間には下方から上方に向かって延びる鍋底センサ１３が設けられている。この鍋底センサ１３の上端には温度センサが内蔵されており、上方に付勢された状態で上下方向に移動自在に保持されている。調理器具として例えばフライパンＦＰがバーナ１２の上方に載置されると、鍋底センサ１３の上端はフライパンＦＰの鍋底Ｂに付勢力によって密着したまま下方に押し下げられることになる。
【００１８】
このようにフライパンＦＰが載置された状態で調理を開始する場合には、点消火ボタン２を押し込む。すると、バーナ１２が点火し、調理を開始することができる。なお、バーナ１２の近傍には熱電対１４が配置されており、バーナ１２の炎をこの熱電対１４で検知することによりバーナ１２の点火の確認、および立ち消えの発生などを検知することができる。また、１０は電池ボックスであり、ガスコンロ装置１の作動電力をこの電池ボックス１０内に収納されている乾電池で賄うように構成されている。
【００１９】
点消火ボタン２の上方には強制点火スイッチ３が設けられている。この強制点火スイッチ３はバーナ１２上に調理器具が載置されていない状態でもバーナ１２の点火を許可するためのスイッチで有り、例えば「あぶり」を行う場合に押し操作する。「あぶり」とは調理器具を載置しない状態で、例えば海苔をあぶるような作業を言う。また、この強制点火スイッチ３は「高温炒め」調理時にも押し操作する。
【００２０】
「高温炒め」調理とは、通常であれば鍋底Ｂの温度が空だきに相当するくらいの高温になる調理で有り、例えば、フライパンＦＰにごく少量の調理物を入れた状態で炒め物をする場合などが相当する。なお、３１はＬＥＤである。
【００２１】
図２を参照して、点消火ボタン２を押し込むと、火力調節装置２２の操作杆２２ａが火力調節装置２２内に押し込まれる。火力調節装置２２には図示しない２個のマイクロスイッチＳＷ１、ＳＷ２が設けられており、操作杆２２ａが移動する途中でＳＷ１が先行してオンになり、続いて点消火ボタン２の押し切り位置でＳＷ２がオンになる。なお、ＳＷ２がオンになる押し切り位置では電磁安全弁２３の弁体が強制的に開弁され、その状態で電磁安全弁２３内の電磁石によって弁体は開弁状態で吸着保持される。
【００２２】
電磁安全弁２３が開弁すると、ガスが火力調節装置２２内に流入し、火力調節装置２２内を通ってバーナ１２に向かって流出する。その流出流量は火力調節レバー２１を操作することによって増減される。
【００２３】
火力調節装置２２から流出したガスは第１開閉弁２４に流れる。この第１開閉弁２４にはオリフィス２５が並列に接続されており、第１開閉弁２４が開弁状態であればガスは何ら絞られること無く、さらに下流に流れるが、第１開閉弁２４が閉弁すればオリフィス２５によって規定される少量のガスが下流へと流れることになる。さらに下流には第２開閉弁２６が設けられており、この第２開閉弁２６が閉弁していればバーナ１２には一切ガスが供給されない。なお、鍋底センサ１３にはマイクロスイッチ１３ａが設けられており、上述のようにフライパンＦＰなどの調理器具を載置して鍋底センサ１３が押し下げられると、このマイクロスイッチ１３ａがオンになり、調理器具がバーナ１２上に載置されたことを検知することができる。
【００２４】
図３を参照して、ガスコンロ装置１内には制御部４が設けられており、上記電磁安全弁２３の開弁保持および第１開閉弁２４、第２開閉弁２６の開閉、スパーカ１５の作動を行うと共に、マイクロスイッチＳＷ２およびマイクロスイッチ１３ａのオン信号の入力、および鍋底センサ１３や熱電対１４による温度検知信号の入力がされる。
【００２５】
図４を参照して、制御部４による制御内容を説明する。点火操作を行う際には、通常の調理を行う場合であれば点消火ボタン２を押し操作し、調理器具が載置されていない状態での点火を行う場合には上記強制点火スイッチ３（あぶり高温炒めＳＷ）を押し操作した状態で点消火ボタン２を押し操作する（以上、ＰＳ）。いずれの場合も、制御部４は未通電の状態であるので、制御部４はＰＳでどのような操作がされているのかを検知することはできない。
【００２６】
点消火ボタン２が押し操作されると、その押し操作途中でＳＷ１がオンになってその時点で制御部４に乾電池からの電力が投入される。すると、制御部４は直ちに強制点火スイッチ３（あぶり高温炒めＳＷ）がオン状態であるかを確認する（Ｓ１ａ）。この強制点火スイッチ３（あぶり高温炒めＳＷ）はモーメンタリ動作をするノンロックスイッチであり、押し操作している間だけオン状態になり、押し操作をやめるとオフ状態に戻るものである。通常の調理時には上述のように、強制点火スイッチ３（あぶり高温炒めＳＷ）はオンされていない。
【００２７】
ただし、強制点火スイッチ３がオン故障している場合には、押し操作していなくても強制点火スイッチ３はオン状態になっている。そこで、ＥＥＰＲＯＭのような不揮発性メモリを設け、この不揮発性メモリ内にオン故障が発生している旨が記憶されているか否かを判断することとした（Ｓ１ｂ）。
【００２８】
そして、オン故障情報が格納されていなければＳ１００に進むが、あぶり高温スイッチ３がオンになっていない場合か、あるいは不揮発性メモリにオン故障情報が格納されている場合にはＳ２に進む。
【００２９】
Ｓ２に進んで、マイクロスイッチ１３ａ（鍋無し検知スイッチ）がオンになっているかを確認する。また、例え強制点火スイッチ３（あぶり高温炒めＳＷ）を押し続けていても点火操作時に手を離したのでは、強制点火スイッチ３（あぶり高温炒めＳＷ）を押さずに点火操作を行う通常の点火操作と同じになるので、Ｓ２に進む。ここで、マイクロスイッチ１３ａ（鍋無し検知スイッチ）がオフであれば、調理器具を載置せずに点火操作がされたことになるので、バーナ１２の点火は行わず、点火を禁止する（Ｓ３）これが点火禁止手段に相当する。
【００３０】
一方、マイクロスイッチ１３ａ（鍋無し検知スイッチ）がオンであれば、調理器具がバーナ１２上に載置されているので、第１開閉弁２４を開弁して火力を強火にすると共に第２開閉弁２６を開弁して、さらにスパーカ１５を作動させてバーナ１２の点火を行う（Ｓ４）。熱電対１４からの検知信号によってバーナ１２の点火が確認されると（Ｓ５）、通常の火力制御（ＮＤ）に移行する。この通常の火力制御（ＮＤ）では、マイクロスイッチ１３ａ（鍋無し検知スイッチ）を常に監視し（Ｓ６）、調理器具が持ち上げられてマイクロスイッチ１３ａ（鍋無し検知スイッチ）がオフになると、通常の火力制御（ＮＤ）を抜けて第１開閉弁２４を閉弁し、オリフィス２５でガス流量を絞って火力を弱火にする（Ｓ８）。また、通常の火力制御（ＮＤ）では、強制点火スイッチ３（あぶり高温炒めＳＷ）も常時監視しており、強制点火スイッチ３（あぶり高温炒めＳＷ）が３秒間継続して押し操作されると、後述する高温の火力制御（ＨＤ）に移行する（Ｓ７）。
【００３１】
なお、通常の火力制御（ＮＤ）で調理器具が持ち上げられ、その状態が６０秒継続すると（Ｓ９）、鍋無しエラーとしてバーナ１２を消火するが（Ｓ１２）、６０秒以内に調理器具が再度載置されると、第１開閉弁２４を開弁して火力を強火に戻して、通常の火力制御（ＮＤ）に復帰する（Ｓ１０，Ｓ１１）。
【００３２】
本フローの最初に戻り、制御部４に電源が投入された時点で強制点火スイッチ３（あぶり高温炒めＳＷ）がオンになっていると、Ｓ１００に進んで第１開閉弁２４が開弁された状態での点火が行われる。なお、この状態ではまだ油過熱防止機能は通常モードに設定されている。この油過熱防止機能とは、鍋底センサ１３で調理器具の鍋底温度を監視し、鍋底温度が過熱温度以上にならないように第１開閉弁２４を開閉して火力を調節する機能である。
【００３３】
続いて、強制点火スイッチ３（あぶり高温炒めＳＷ）が３秒以上オン状態であれば（Ｓ１０１、Ｓ１０２）、上記油過熱防止機能によって温調される温度を引き上げ、高温炒め調理を行うことのできる高温モードに切り替える（Ｓ１０３）。そして、マイクロスイッチ１３ａ（鍋無し検知スイッチ）がオフになったら火力を弱火にするという機能を解除して強火のままを保持する（Ｓ１０４）。このフローには示していないが、このような高温の火力制御（ＨＤ）は３０分継続すると自動的にバーナ１２を消火させる。また、高温の火力制御（ＨＤ）に移行している間は上記ＬＥＤ３１を点灯もしくは点滅させて、高温の火力制御（ＨＤ）状態になることを報知する。
【００３４】
高温の火力制御（ＨＤ）状態で強制点火スイッチ３（あぶり高温炒めＳＷ）が押し操作されると（Ｓ１０５）、高温の火力制御（ＨＤ）を脱出して、油過熱防止機能を通常モードに戻した後（Ｓ１０６）、上述の通常の火力制御（ＮＤ）に移行する。なお、強制点火スイッチ３が１５秒継続してオン状態であると、強制点火スイッチ３にオン故障が生じたいものと判断して不揮発性メモリにオン故障の発生を格納すると共に異常状態時の停止を行うこととした（Ｓ１０７、Ｓ１０８）。そして、オン故障が生じたと判断した場合には、ガスコンロ装置１に設けたランプまたはブザーなどによって、オン故障発生を報知する。
【００３５】
また、上記Ｓ１０１で、３秒経過する前に強制点火スイッチ３（あぶり高温炒めＳＷ）がオフになると、Ｓ５で着火確認をした後、通常の火力制御（ＮＤ）に移行するようにした。
【００３６】
なお、この場合、Ｓ５に流れるのでは無く、点火操作時に限ってＳ３に流れて点火を禁止するように制御してもよい。
【００３７】
ところで、上記不揮発性メモリをリセットするスイッチをガスコンロ装置に設け、このリセットスイッチを手動操作によって、上記不揮発性メモリに格納されているオン故障発生を消去できるようにしてもよい。
【００３８】
さらに、上記強制点火スイッチがオン状態からオフ状態になれば、上記不揮発性メモリに格納されているオン故障発生を消去するようにしてもよい。
【００３９】
ところで、図４に示すフローでは、Ｓ１０２で強制点火スイッチ３（あぶり高温炒めＳＷ）が３秒継続して押し操作されることを確認する前に先行してＳ１００でバーナ１２に点火を行ったが、このタイミングでは点火を行わず、Ｓ１０２で強制点火スイッチ３（あぶり高温炒めＳＷ）が３秒継続して押し操作されたことを確認した後でバーナ１２に点火するように変更してもよい。
【００４０】
また、上記Ｓ１ｂで不揮発性メモリにオン故障情報が格納されている場合にはＳ２に進んだが、その場合にＳ２に進まず、以後の点火を禁止するように制御してもよい。
【００４１】
ところで、上記実施の形態では、強制点火スイッチ３が１５秒継続してオン状態であると、強制点火スイッチ３にオン故障が生じたいものと判断して不揮発性メモリにオン故障の発生を格納するようにしたが、消火時点で強制点火スイッチ３がオン状態であれば、強制点火スイッチ３にオン故障が生じたいものと判断して不揮発性メモリにオン故障の発生を格納するようにしてもよい。
【００４２】
なお、本発明は上記した形態に限定されるものではなく、本発明の要旨を逸脱しない範囲内において種々の変更を加えてもかまわない。
【符号の説明】
【００４３】
１ ガスコンロ装置
２ 点消火ボタン
３ 強制点火スイッチ
４ 制御部
１２ バーナ
１３ 鍋底センサ
２１ 火力調節レバー
２２ 火力調節装置
２３ 電磁安全弁
２４ 第１開閉弁
２５ オリフィス
２６ 第２開閉弁
【図１】
0006410318.tif 000002
【図２】
0006410318.tif 000003
【図３】
0006410318.tif 000004
【図４】
0006410318.tif 000005